(57)【要約】【課題】  自動的に糊液を壁紙糊付機本体の糊桶内に供給する糊液供給ポンプを備えた壁紙糊付機において、糊桶から糊液が溢れることなく、作業終了後の洗浄時にも濡れることを気にすることがなく、簡便に糊付作業及び洗浄作業を行う壁紙糊付機を得る。【解決手段】  糊液を保持した糊液容器内の糊液を糊液送給パイプを介して前記糊桶内へ供給する糊液供給ポンプ装置と前記糊液供給ポンプ装置の駆動を制御するポンプ制御手段とを備えたポンプ付き壁紙糊付機において、前記ポンプ制御手段として、前記糊付機の複数のロールを駆動する駆動源を備えたコントローラに配されて前記ポンプ装置の駆動を開始するポンプ駆動スイッチと、糊桶に配されて糊桶内に汲上げられた糊液の上限を認識して前記ポンプ装置の駆動を停止する上限センサとを備えたもの。【選択図】      図４
2006150338.tif 000002
【特許請求の範囲】
【請求項１】
糊付機本体の後部から引き入れたシート状壁装材を複数のロールで前方へ送り出しながら、前記糊付機本体内の糊桶に収容されている糊を糊付けローラで前記壁装材の裏面に転写することによって連続的に糊を塗布する壁紙糊付機であって、
糊液を保持した糊液容器内の糊液を糊液送給パイプを介して前記糊桶内へ供給する糊液供給ポンプ装置と、前記糊液供給ポンプ装置の駆動を制御するポンプ制御手段とを備えたポンプ付き壁紙糊付機において、
前記ポンプ制御手段として、前記糊付機の複数のロールを駆動する駆動源を備えたコントローラに配されて前記ポンプ装置の駆動を開始するポンプ駆動スイッチと、糊桶に配されて糊桶内に汲上げられた糊液の貯留上限を認識して前記ポンプ装置の駆動を停止する上限スイッチとを備えたことを特徴とする糊液供給ポンプ付き壁紙糊付機。
【請求項２】
前記上限スイッチとして、
糊付機本体に装着された糊桶内の糊液に接地される一方の電極と、この電極から隔てられた箇所から糊桶の上限の糊液液面レベル位置まで下垂された他方の電極との２つの電極と、
糊付機本体のコントローラ側の側面に設置されて前記２つの電極の各々に接続された本体側コイルと、
この本体側コイルに対向してコントローラに設置されたコントローラ側コイルと、
コントローラ側コイルに予め定められた振動数のパルス電流を通電しつつ前記２つの電極が糊液によって閉回路を形成した際の本体側コイルの誘導電流による変化を認識して前記ポンプ駆動スイッチを停止する制御手段と、
を備えことを特徴とする請求項１に記載の糊液供給ポンプ付き壁紙糊付機。
【請求項３】
前記２つの電極が、着脱可能なツメステーの中央部の隔てられた２カ所から糊桶の上限の糊液液面レベル位置まで各々下垂された棒状電極であることを特徴とする請求項２に記載の糊液供給ポンプ付き壁紙糊付機。
【請求項４】
前記上限スイッチとして、
糊付機本体の左右両側面の少なくとも一方の内壁面に設けられ、糊付機本体へ前面側から後面側へ向けて挿入される糊桶の前記内壁面に対向する外側壁に設けられた筒状突部を摺動又は回転走行させてこの糊桶の挿脱移動を案内するレールと、このレールの一部を切欠いた切欠き部とを備えたガイド手段と、
前記糊桶の糊付機本体への挿着完了時に前記切欠き部の直上となる糊桶外側壁の位置に設けられた突設片と、
前記切欠き部に配されて前記レールの一部となる上下動片と、
この上下動片を支える弾性部材と、
前記糊桶内に汲上げられた糊液の重さによって上下動片が前記突設片に押されて下げられ糊液の貯留上限の重さとなった際に通電される感圧センサと、
前記感圧センサに接続された本体側コイルと、
この本体側コイルに対向してコントローラに設置されたコントローラ側コイルと、
コントローラ側コイルに予め定められた振動数のパルス電流を通電しつつ前記感圧センサで閉回路を形成した際の本体側コイルの誘導電流による変化を認識して前記ポンプ駆動スイッチを停止する制御手段と、
を備えことを特徴とする請求項１に記載の糊液供給ポンプ付き壁紙糊付機。
【請求項５】
前記上下動片が配される切欠き部が糊付機本体の前方側位置に設けられたことを特徴とする請求項４に記載の糊液供給ポンプ付き壁紙糊付機。
【請求項６】
前記上限スイッチとして、
糊付機本体に装着された糊桶の下方に配される部材に支点を有した天秤竿部材と、
該天秤竿部材の一端部に配され、糊付機本体に装着された糊桶の下面の一部に当接する当接部と、
前記天秤竿部材の他端部に設けられ天秤竿部材の動きに応じて接点を開閉し通電状態又は非通電状態へ移行する接触型又は非接触型スイッチと、
前記糊桶内部に汲上げられた糊液が予め定められた釣合量を越えて貯留した際に天秤竿部材を傾かせて離反させる重さとした前記天秤竿部材の支点から他端部先端までの重量と、
前記スイッチに接続された本体側コイルと、
この本体側コイルに対向してコントローラに設置されたコントローラ側コイルと、
コントローラ側コイルに予め定められた振動数のパルス電流を通電しつつ前記スイッチで通電状態から非通電状態への移行の際の本体側コイルの誘導電流による変化を認識して前記ポンプ駆動スイッチを停止する制御手段と、
を備えことを特徴とする請求項１に記載の糊液供給ポンプ付き壁紙糊付機。
【請求項７】
前記糊桶内部に汲上げられた糊液が予め定められた釣合量を越えて貯留した際に天秤竿部材の傾き速度を遅くする遅延手段を備えたことを特徴とする請求項６に記載の糊液供給ポンプ付き壁紙糊付機。
【請求項８】
前記非接触型スイッチが、接点としての微小な隙間を開けた２枚の磁性体リード細板の磁化を、前記天秤竿部材の動きに応じて切り替えるリードスイッチを備えたことを特徴とする請求項６又は７に記載の糊液供給ポンプ付き壁紙糊付機。
【請求項９】
前記天秤竿部材が下部フレーム内部に配され、
前記下部フレームの上部に穿設された孔を介して、前記天秤竿部材の一端部の当接部と糊桶の下面の一部とが当接された糊付機において、
前記孔には、上方からの水の侵入を阻害し、尚且つ、当接部の糊桶からの荷重を阻害しない可撓性の防水キャップを備えたことを特徴とする請求項６〜８の何れか１項に記載の糊液供給ポンプ付き壁紙糊付機。
【請求項１０】
前記糊液供給ポンプ装置の駆動電源が、前記コントローラを介して供給されていることを特徴とする請求項１〜９の何れか１項に記載の糊液供給ポンプ付き壁紙糊付機。
【請求項１１】
モータにより回転刃を回転させて前記シート状壁装材の端部を裁断する壁装材用スリッターを糊付機本体の後面側に更に備え、
前記モータの駆動電源が、前記コントローラを介して供給されていることを特徴とする請求項１０に記載の糊液供給ポンプ付き壁紙糊付機。
【請求項１２】
糊付機本体の後部から引き入れたシート状壁装材を複数のロールで前方へ送り出しながら、前記糊付機本体内の糊桶に収容されている糊を糊付けローラで前記壁装材の裏面に転写することによって連続的に糊を塗布する壁紙糊付機であって、
糊液を保持した糊液容器内の糊液を糊液送給パイプを介して前記糊桶内へ供給する糊液供給ポンプ装置と、
前記糊液供給ポンプ装置の駆動を制御するポンプ制御手段とを備えたポンプ付き壁紙糊付機において、
糊付機本体の背面壁に前記糊桶の上部に至る貫通孔を備え、
前記糊液送給パイプが前記貫通孔を介して糊液を装着完了時の前記糊桶に供給することを特徴とする糊液供給ポンプ付き壁紙糊付機。
【請求項１３】
前記貫通孔の外側には、回動自在ジョイントが設けられ、この回動自在ジョイントに前記糊液送給パイプが接続されることを特徴とする請求項１２に記載の糊液供給ポンプ付き壁紙糊付機。
【請求項１４】
前記糊付機本体を覆う本体カバーの裏面側に、作業休憩時間を含む駆動休止時に糊付ロール及び糊桶内の糊液の乾燥を防止するために糊付機本体の後面側壁面及び前面側壁面を覆うシートが折りたたまれて掛止されていることを特徴とする請求項１〜１３の何れか１項に記載の糊液供給ポンプ付き壁紙糊付機。
【発明の詳細な説明】
【技術分野】
【０００１】
本発明は、室内壁面等に貼付されるシート状壁装材の裏面に連続的に糊を塗布する壁紙糊付機に関するものである。
【背景技術】
【０００２】
現在、建築物の内装施工における壁装材の室内壁面への貼付は、現場で専用の壁紙糊付機を用いてシート状の壁装材に連続的に糊を塗布しながら行うのが一般的となっている。
【０００３】
このような壁紙糊付機の一般的な構成は、内部に複数のローラが配置された上部構体及び下部構体から構成される糊付機本体を支持脚部上に載置し、上下構体の間に挟み込んだシート状壁装材（以下、クロスと記す）をローラで搬送しながら、下部構体の糊桶から糊をローラで糊上げ、壁装材裏面に転写塗布していくものである。
【０００４】
従来から壁紙糊付機には手動式と自動式とがある。即ち、下部構体上に原反ロールから繰り出したクロスを先端部が本体前方に垂れる状態で載置して上部構体を閉じて下部構体と上部構体の所定ローラ間にクロスを挟み込んだ状態にしておく。
【０００５】
手動式装置ではクロス先端を持って前方へ引っ張ることにより、クロスを上下で挟んでいるローラの一部を追従回転させると共に他のローラをギアを介して連動回転させてクロスを糊付機本体の後方から前方へ搬送させながら、途中で糊桶内の糊をその回転によって引き上げているローラの頂点上で、このローラから糊が裏面に転写され、糊塗布済み状態で前方から送り出されてくる。また、自動式装置では、所定のローラの軸を電動モータ等の駆動源に連結して回転させることによって、他のローラもギアを介して連動回転するものである。
【０００６】
このような壁紙糊付機では、効率的で均一な糊付けを行えるという点では、自動式の壁紙糊付機の使用が好まれる。しかしながら、糊付機は現場へ搬送してそこで組立てられ、使用後は分解して再び持ち帰って収納しておくものであるため、小型で軽量であることが望まれるが、自動壁紙糊付機は、モータ等の駆動部及びそのコントロール部とを備える分、手動式のものより大型化し、重量も増えてしまう。
【０００７】
従って、自動壁紙糊付機において、糊付機本体の小型軽量化を目的とし、糊桶を小さくし、小さくしたことで頻繁に糊の供給を行わないように、糊液供給ポンプを備えた自動壁紙糊付機が実用化されるに至っている。（例えば、特許文献１参照）。
【特許文献１】実開平７−４４６７５号公報
【発明の開示】
【発明が解決しようとする課題】
【０００８】
しかしながら、従来のポンプ付き壁紙糊付機では、液面センサ又は荷重センサによって、糊液の残量を検知し、予め定められた残量以上に減った場合に、リミットスイッチが入り、一定時間ポンプを駆動させて糊液を補充するものであった。また、検知装置は糊容器の出し入れにも邪魔にならず使い勝手がよいことを目的としているが、糊桶からこぼれた糊液が付着したり、その結果、誤動作を生じる等の問題があった。
【０００９】
本発明は、自動的に糊液を壁紙糊付機本体の糊桶内に供給する糊液供給ポンプを備えた壁紙糊付機において、糊桶から糊液が溢れることなく、また、作業終了後の洗浄時にも濡れることを気にすることがなく、簡便に糊付作業及び洗浄作業を行うことのできる壁紙糊付機を得ることを目的とする。また、作業休憩時等の際にも、糊液の乾燥を気にすることがなく、休憩終了時に直ぐに作業を再開することのできる壁紙糊付機を得ることを目的とする。
【課題を解決するための手段】
【００１０】
請求項１に記載された発明に係る糊液供給ポンプ付き壁紙糊付機は、糊付機本体の後部から引き入れたシート状壁装材を複数のロールで前方へ送り出しながら、前記糊付機本体内の糊桶に収容されている糊を糊付けローラで前記壁装材の裏面に転写することによって連続的に糊を塗布する壁紙糊付機であって、
糊液を保持した糊液容器内の糊液を糊液送給パイプを介して前記糊桶内へ供給する糊液供給ポンプ装置と、
前記糊液供給ポンプ装置の駆動を制御するポンプ制御手段とを備えたポンプ付き壁紙糊付機において、
前記ポンプ制御手段として、前記糊付機の複数のロールを駆動する駆動源を備えたコントローラに配されて前記ポンプ装置の駆動を開始するポンプ駆動スイッチと、糊桶に配されて糊桶内に汲上げられた糊液の上限を認識して前記ポンプ装置の駆動を停止する上限スイッチとを備えたことを特徴とするものである。
【００１１】
請求項２に記載された発明に係る糊液供給ポンプ付き壁紙糊付機は、請求項１に記載の上限スイッチとして、
糊付機本体に装着された糊桶内の糊液に接地される一方の電極と、この電極から隔てられた箇所から糊桶の上限の糊液液面レベル位置まで下垂された他方の電極との２つの電極と、
糊付機本体のコントローラ側の側面に設置されて前記２つの電極の各々に接続された本体側コイルと、
この本体側コイルに対向してコントローラに設置されたコントローラ側コイルと、
コントローラ側コイルに予め定められた振動数のパルス電流を通電しつつ前記２つの電極が糊液によって閉回路を形成した際の本体側コイルの誘導電流による変化を認識して前記ポンプ駆動スイッチを停止する制御手段と、
を備えことを特徴とするものである。
【００１２】
請求項３に記載された発明に係る糊液供給ポンプ付き壁紙糊付機は、請求項２に記載の２つの電極が、着脱可能なツメステーの中央部の隔てられた２カ所から糊桶の上限の糊液液面レベル位置まで各々下垂された棒状電極であることを特徴とするものである。
【００１３】
請求項４に記載された発明に係る糊液供給ポンプ付き壁紙糊付機は、請求項１に記載の上限スイッチとして、
糊付機本体の左右両側面の少なくとも一方の内壁面に設けられ、糊付機本体へ前面側から後面側へ向けて挿入される糊桶の前記内壁面に対向する外側壁に設けられた筒状突部を摺動又は回転走行させてこの糊桶の挿脱移動を案内するレールと、このレールの一部を切欠いた切欠き部とを備えたガイド手段と、
前記糊桶の糊付機本体への挿着完了時に前記切欠き部の直上となる糊桶外側壁の位置に設けられた突設片と、
前記切欠き部に配されて前記レールの一部となる上下動片と、
この上下動片を支える弾性部材と、
前記糊桶内に汲上げられた糊液の重さによって上下動片が前記突設片に押されて下げられ糊液の貯留上限の重さとなった際に通電又は非通電される感圧センサと、
前記感圧センサに接続された本体側コイルと、
この本体側コイルに対向してコントローラに設置されたコントローラ側コイルと、
コントローラ側コイルに予め定められた振動数のパルス電流を通電しつつ前記感圧センサで閉回路を形成又は形成されていた閉回路が形成されなくなった際の本体側コイルの誘導電流による変化を認識して前記ポンプ駆動スイッチを停止する制御手段と、
を備えことを特徴とするものである。
【００１４】
請求項５に記載された発明に係る糊液供給ポンプ付き壁紙糊付機は、請求項４に記載の上下動片が配される切欠き部が糊付機本体の前方側位置に設けられたものである。
【００１５】
請求項６に記載された発明に係る糊液供給ポンプ付き壁紙糊付機は、請求項１に記載の上限スイッチとして、
糊付機本体に装着された糊桶の下方に配される部材に支点を有した天秤竿部材と、
該天秤竿部材の一端部に配され、糊付機本体に装着された糊桶の下面の一部に当接する当接部と、
前記天秤竿部材の他端部に設けられ天秤竿部材の動きに応じて接点を開閉し通電状態又は非通電状態へ移行する接触型又は非接触型スイッチと、
前記糊桶内部に汲上げられた糊液が予め定められた釣合量を越えて貯留した際に天秤竿部材を傾かせて離反させる重さとした前記天秤竿部材の支点から他端部先端までの重量と、
前記スイッチに接続された本体側コイルと、
この本体側コイルに対向してコントローラに設置されたコントローラ側コイルと、
コントローラ側コイルに予め定められた振動数のパルス電流を通電しつつ前記スイッチで通電状態から非通電状態への移行の際の本体側コイルの誘導電流による変化を認識して前記ポンプ駆動スイッチを停止する制御手段と、
を備えことを特徴とするものである。
【００１６】
請求項７に記載された発明に係る糊液供給ポンプ付き壁紙糊付機は、請求項６に記載の糊桶内部に汲上げられた糊液が予め定められた釣合量を越えて貯留した際に天秤竿部材の傾き速度を遅くする遅延手段を備えたことを特徴とするものである。
【００１７】
請求項８に記載された発明に係る糊液供給ポンプ付き壁紙糊付機は、請求項６又は７に記載の非接触型スイッチが、接点としての微小な隙間を開けた２枚の磁性体リード細板の磁化を、前記天秤竿部材の動きに応じて切り替えるリードスイッチを備えたことを特徴とするものである。
【００１８】
請求項９に記載された発明に係る糊液供給ポンプ付き壁紙糊付機は、請求項６〜８の何れか１項に記載の天秤竿部材が下部フレーム内部に配され、
前記下部フレームの上部に穿設された孔を介して、前記天秤竿部材の一端部の当接部と糊桶の下面の一部とが当接された糊付機において、
前記孔には、上方からの水の侵入を阻害し、尚且つ、当接部の糊桶からの荷重を阻害しない可撓性の防水キャップを備えたことを特徴とするものである。
【００１９】
請求項１０に記載された発明に係る糊液供給ポンプ付き壁紙糊付機は、請求項１〜９の何れか１項に記載の糊液供給ポンプ装置の駆動電源が、前記コントローラを介して供給されていることを特徴とするものである。
【００２０】
請求項１１に記載された発明に係る糊液供給ポンプ付き壁紙糊付機は、請求項１０に記載のモータにより回転刃を回転させて前記シート状壁装材の端部を裁断する壁装材用スリッターを糊付機本体の後面側に更に備え、
前記モータの駆動電源が、前記コントローラを介して供給されていることを特徴とするものである。
【００２１】
請求項１２に記載された発明に係る糊液供給ポンプ付き壁紙糊付機は、糊付機本体の後部から引き入れたシート状壁装材を複数のロールで前方へ送り出しながら、前記糊付機本体内の糊桶に収容されている糊を糊付けローラで前記壁装材の裏面に転写することによって連続的に糊を塗布する壁紙糊付機であって、
糊液を保持した糊液容器内の糊液を糊液送給パイプを介して前記糊桶内へ供給する糊液供給ポンプ装置と、
前記糊液供給ポンプ装置の駆動を制御するポンプ制御手段とを備えたポンプ付き壁紙糊付機において、
糊付機本体の背面壁に前記糊桶の上部に至る貫通孔を備え、
前記糊液送給パイプが前記貫通孔を介して糊液を装着完了時の前記糊桶に供給することを特徴とするものである。
【００２２】
請求項１３に記載された発明に係る糊液供給ポンプ付き壁紙糊付機は、請求項１２に記載の貫通孔の外側には、回動自在ジョイントが設けられ、この回動自在ジョイントに前記糊液送給パイプが接続されることを特徴とするものである。
【００２３】
請求項１４に記載された発明に係る糊液供給ポンプ付き壁紙糊付機は、請求項１〜１３の何れか１項に記載の糊付機本体を覆う本体カバーの裏面側に、作業休憩時間を含む駆動休止時に糊付ロール及び糊桶内の糊液の乾燥を防止するために糊付機本体の後面側壁面及び前面側壁面を覆うシートが折りたたまれて掛止されていることを特徴とするものである。
【発明の効果】
【００２４】
本発明は以上説明した通り、自動的に糊液を壁紙糊付機本体の糊桶内に供給する糊液供給ポンプを備えた壁紙糊付機において、糊桶から糊液が溢れることなく、また、作業終了後の洗浄時にも濡れることを気にすることがなく、簡便に糊付作業及び洗浄作業を行うことのできる壁紙糊付機を得ることができるという効果がある。また、作業休憩時等の際にも、糊の乾燥を気にすることがなく、休憩終了時に直ぐに作業を再開することのできる壁紙糊付機を得ることができるという効果がある。
【発明を実施するための最良の形態】
【００２５】
本発明においては、糊付機本体の後部から引き入れたシート状壁装材を複数のロールで前方へ送り出しながら、前記糊付機本体内の糊桶に収容されている糊を糊付けローラで前記壁装材の裏面に転写することによって連続的に糊を塗布する壁紙糊付機であって、
糊液を保持した糊液容器内の糊液を糊液送給パイプを介して前記糊桶内へ供給する糊液供給ポンプ装置と、
前記糊液供給ポンプ装置の駆動を制御するポンプ制御手段とを備えたポンプ付き壁紙糊付機において、
前記ポンプ制御手段として、前記糊付機の複数のロールを駆動する駆動源を備えたコントローラに配されて前記ポンプ装置の駆動を開始するポンプ駆動スイッチと、糊桶に配されて糊桶内に汲上げられた糊液の上限を認識して前記ポンプ装置の駆動を停止する上限スイッチとを備える。これにより、自動的に糊液を壁紙糊付機本体の糊桶内に供給する糊液供給ポンプを備えた壁紙糊付機において、糊桶から糊液が溢れることなく、簡便に糊付作業及び洗浄作業を行うことができる。
【００２６】
尚、糊液供給ポンプ装置は、好ましくは、シート状壁装材の裏面への糊塗布に基づく糊桶内の糊液の減少量よりも多い流量で、糊桶内へ供給する。これにより、シート状壁装材への糊の塗布作業中でも、作業を中断することなく連続して塗布作業ができる。
【００２７】
本発明の上限スイッチの一例としては、糊付機本体に装着された糊桶内の糊液に接地される一方の電極と、この電極から隔てられた箇所から糊桶の上限の糊液液面レベル位置まで下垂された他方の電極との２つの電極と、糊付機本体のコントローラ側の側面に設置されて前記２つの電極の各々に接続された本体側コイルと、この本体側コイルに対向してコントローラに設置されたコントローラ側コイルと、コントローラ側コイルに予め定められた振動数のパルス電流を通電しつつこれら２つの電極が糊液によって閉回路を形成した際の本体側コイルの誘導電流による変化を認識してポンプ駆動スイッチを停止する制御手段とを備える。
【００２８】
即ち、対向したコイルによって２つの電極が通電した状態を検知するため、糊付機本体側には洗浄時に取り外すべき給電系が存在しない。これにより、作業終了後の洗浄時にも濡れることを気にすることがなく、簡便に糊付作業及び洗浄作業を行うことができる。
【００２９】
２つの電極としては、一方が糊付機本体に装着された糊桶内の糊液に接地され、他方が糊桶の上限の糊液液面レベル位置まで下垂されればよく、２つの電極共に上限の糊液液面レベル位置まで下垂されても良い。より好ましい例としては、２つの電極が、着脱可能なツメステーの中央部の隔てられた２カ所から糊桶の上限の糊液液面レベル位置まで各々下垂された棒状電極である。また、これら電極棒は、直径が１ｍｍφ以下ではセンサーの高さ位置（２ｃｍ程度は入らないと通電しない）の正確さがでない場合があるため、好ましくは、５ｍｍφ以上、より好ましくは８ｍｍφとする。また、２つの電極は、糊液が糊桶の上限の糊液液面レベル位置に達した際に通電して閉回路を形成すればよいため、２つの電極の長さが同じか、２つの電極のうち短い電極の長さが糊液液面レベル位置であればよい。
【００３０】
本発明の上限スイッチの別の例としては、糊付機本体の左右両側面の少なくとも一方の内壁面に設けられ、糊付機本体へ前面側から後面側へ向けて挿入される糊桶の前記内壁面に対向する外側壁に設けられた筒状突部を摺動又は回転走行させてこの糊桶の挿脱移動を案内するレールと、このレールの一部を切欠いた切欠き部とを備えたガイド手段と、前記糊桶の糊付機本体への挿着完了時に前記切欠き部の直上となる糊桶外側壁の位置に設けられた突設片と、前記切欠き部に配されて前記レールの一部となる上下動片と、この上下動片を支える弾性部材と、前記糊桶内に汲上げられた糊液の重さによって上下動片が前記突設片に押されて下げられ糊液の貯留上限の重さとなった際に通電又は非通電される感圧センサと、前記感圧センサに接続された本体側コイルと、この本体側コイルに対向してコントローラに設置されたコントローラ側コイルと、コントローラ側コイルに予め定められた振動数のパルス電流を通電しつつ前記感圧センサで閉回路を形成又は形成されていた閉回路が形成されなくなった際の本体側コイルの誘導電流による変化を認識して前記ポンプ駆動スイッチを停止する制御手段とを備える。
【００３１】
即ち、この例においても、感圧センサで閉回路を形成又は形成されていた閉回路が形成されなくなった際の本体側コイルの誘導電流による変化を検知するため、糊付機本体側には洗浄時に取り外すべき給電系が存在しない。これにより、作業終了後の洗浄時にも濡れることを気にすることがなく、簡便に糊付作業及び洗浄作業を行うことができる。
【００３２】
また、本発明における感圧センサについては、糊液が付着しやすい糊桶下面位置に直接設置するのではなく、糊桶側面のレールに配した。更に好ましくは、荷重がかかる位置と感圧センサとを離して設置して、糊液や洗浄水の付着を更に防止する。例えば、感圧センサは、感圧センサと、レールの切欠き部に係合する係合片と感圧センサを押圧する押圧片とを備えた上下部材と、この上下部材を吊下するように配した弾性部材とを備え、感圧センサを糊液や洗浄水の溜りやすいレールの切欠きから離して配するようにする。
【００３３】
本発明の上限スイッチの更に別の例としては、糊付機本体に装着された糊桶の下方に配される部材に支点を有した天秤竿部材と；該天秤竿部材の一端部に配され、糊付機本体に装着された糊桶の下面の一部に当接する当接部と；前記天秤竿部材の他端部に設けられ天秤竿部材の動きに応じて接点を開閉し通電状態又は非通電状態へ移行する接触型又は非接触型スイッチと；前記糊桶内部に汲上げられた糊液が予め定められた釣合量を越えて貯留した際に天秤竿部材を傾かせて離反させる重さとした前記天秤竿部材の支点から他端部先端までの重量と；前記スイッチに接続された本体側コイルと、この本体側コイルに対向してコントローラに設置されたコントローラ側コイルと；コントローラ側コイルに予め定められた振動数のパルス電流を通電しつつ前記スイッチで通電状態から非通電状態への移行の際の本体側コイルの誘導電流による変化を認識して前記ポンプ駆動スイッチを停止する制御手段とを備える。
【００３４】
即ち、この例においても、対向したコイルによってスイッチで通電状態又は非通電状態への移行の際の本体側コイルの誘導電流による変化を検知するため、糊付機本体側には洗浄時に取り外すべき給電系が存在しない。これにより、作業終了後の洗浄時にも濡れることを気にすることがなく、簡便に糊付作業及び洗浄作業を行うことができる。
【００３５】
また、糊は粘性が有るため、糊ローラ動作状態と停止状態とでは、糊面レベルが変位する場合があるため、感圧センサ又は天秤竿部材の動きに応じて接点を開閉する接触型又は非接触型スイッチが好ましい。更に、ポンプによって液量が増えると共に糊付により液量が徐々に減るため、所定の重さになった場合に素早く反応する天秤竿部材に接触している接触スイッチや非接触スイッチがより好ましい。例えば、非接触型スイッチとしては、微接点としての微小な隙間を開けた２枚の磁性体リード細板の磁化を、前記天秤竿部材の動きに応じて切り替えるリードスイッチが挙げられる。
【００３６】
具体的には、天秤竿部材の他端部に永久磁石又はリードスイッチの一方を設し、その近傍に永久磁石又はリードスイッチの他方を設す。天秤竿部材の動きにより磁性体リード細板の各々を異極又は同極に磁化することにより接点をＯＮ・ＯＦＦさせて通電状態又は非通電状態へ移行の際の本体側コイルの誘導電流による変化を検知すればよい。
【００３７】
更に、これら接触・非接触スイッチでの例においては、好ましくは、糊桶内部に汲上げられた糊液が予め定められた釣合量を越えて貯留した際に天秤竿部材の傾き速度を遅くする遅延手段を備える。これにより、誤動作が低減する。
【００３８】
また、好ましい態様としては、天秤竿部材が下部フレーム内部に配され、この下部フレームの上部に穿設された孔を介して、前記天秤竿部材の一端部の当接部と糊桶の下面の一部とが当接され、この孔には、上方からの水の侵入を阻害し、尚且つ、当接部の糊桶からの荷重を阻害しない可撓性の防水キャップを備えることにより、作業終了後の洗浄時にも濡れることを気にすることがなく、天秤竿部材の動作に影響を与えることが少ない。
【００３９】
また、より好ましくは、糊桶の糊量は２．５ｋｇ〜６ｋｇの範囲で駆動される。例えば、３ｋｇとなる高さ位置に２つの電極を配置するか、３ｋｇが溜った際に沈む高さ位置に感圧センサや接触・非接触スイッチを設定することにより、糊桶内部には常に一定量の糊液が保持されることになり、糊液の保持量に応じた糊のシート状壁装材への塗布量の変動が抑制され、ほぼ均一な塗布量となるという利点もある。
【００４０】
本発明の糊液供給ポンプ装置は、糊付機本体とは別の給電系で駆動させてもよいが、コントローラ側コイルに予め定められた振動数のパルス電流を通電しつつ、２つの電極が糊液によって閉回路を形成した際又は感圧センサで閉回路を形成した際の本体側コイルの誘導電流による変化を認識してポンプ駆動スイッチを停止する制御手段をコントローラに備えるため、好ましくは、糊液供給ポンプ装置の駆動電源は、コントローラを介して供給されている。これにより、糊付機本体を駆動する給電系と糊液供給ポンプ装置を駆動する給電系とを一つにすることができ、給電系の取り回しが容易となり、簡便に糊付作業及び洗浄作業を行うことができる。
【００４１】
具体的には、コントローラの駆動電圧が４８Ｖであるため、糊液供給ポンプ装置も同じ４８Ｖの駆動電圧で駆動できるようにモータ等を選択して、コントローラの制御手段によって駆動を制御する。尚、糊付機本体の後面部に設置されるスリッターにおいて、回転刃を駆動するモータを備えたものについても、コントローラで制御可能なようにスリッターのモータについてもコントローラの駆動電圧と同じ駆動電圧で駆動するものを選択して、スリッターの駆動を制御しても良い。この場合、スリッターについても１つの給電系にすることができ、給電系の取り回しが容易となり、簡便に糊付作業及び洗浄作業を行うことができる。
【００４２】
従来の糊付機では、糊桶の底板中央部等の糊桶に開けられた開口に直接送給パイプを接続して供給されていた。この場合、洗浄時に糊桶を取り外す際等にポンプ装置からの糊液送給パイプが邪魔になっていた。そこで、本発明では、糊付機本体の背面壁に糊桶の上部に至る貫通孔を備え、糊液送給パイプがこの貫通孔を介して糊液を糊桶に供給するようにした。より好ましくは、貫通孔の外側には、回動自在ジョイントが設けられ、この回動自在ジョイントに糊液送給パイプが接続される。
【００４３】
また、従来の糊付機では、休憩時間等に本体内部の糊が乾燥しやすく、休憩後の作業の再開の際に再調整を必要とし、乾燥した糊は洗浄し難いものであった。本発明の糊付機では、糊付機本体を覆う本体カバーの裏面側に、作業休憩時間を含む駆動休止時に糊付ロール及び糊桶内の糊液の乾燥を防止するために糊付機本体の後面側壁面及び前面側壁面を覆うシートが折りたたまれて掛止されているため、休憩時間等に本体内部の糊が乾燥し難いように本体カバーの裏面のシートを開き、これで糊付機本体を覆うことにより、休憩後の作業の再開の際に再調整を必要とせず、簡便に糊付作業及び洗浄作業を行うことができる。
【実施例】
【００４４】
１．全体構成
図１は本発明の糊液供給ポンプ付き壁紙糊付機の一実施例の構成を示す説明図であり、図２は図１の糊付機本体の構成を示す説明図である。図３はコントローラの構成を説明する説明図であり、ａ図は糊付機本対への取付を示す正面図であり、ｂ図はａ図のコントローラ面の正面図である。図１に示す通り、壁紙糊付機は、糊付機本体１と、この糊付機本体１を載置する台座部２と、糊付機本体１を所定高さで支持するために台座部２の左右両端下部にそれぞれ前後に二本一対で配される前脚３１と後脚３２とで構成される脚部３とからなる。
【００４５】
一対の後脚３２には、クロス受けブラケット３３が回動自在に配されており、クロス受けブラケット３３の先端部には、原反ロールＲの中心に通されたクロス芯棒３４が軸支されている。原反ロールＲから繰り出される壁装材（クロス）Ｃは、後脚３２の折り畳み部３５に横架された第１テンションバー３６に当接して引き込み口での引き込み荷重が与えられる。この第１テンションバー３６は、台座部２の前脚３１と後脚３２との中間位置下方に設けられたカットテープ取付け芯棒３７に一端部を回動自在に軸支された第１テンションバー回動部材３８の他端部に取付けられることにより、折り畳み時に台座部２の前脚３１の上部へ収納することができる。
【００４６】
糊付機本体１は、糊桶６を主とする下部構体４とその上に開閉可能に載置される上部構体５とによって構成される。
【００４７】
各ローラの回転に伴って糊付機本体１の後面側から前方へ搬送されてくるクロス裏面に回転しながら当接して連続的に糊を塗布する糊付けローラ４１は、下部構体４の左右両側壁面の軸受板に、できるだけ糊桶６内に沈む下方位置の配置となるように軸支されている。また、糊桶６内の糊を回転によって掻き上げて糊付けローラ４１に転写する糊上げローラ６１は、糊桶６の両側側面に、中心より後面側寄りの位置で軸支されている。
【００４８】
糊付けローラ４１は、糊付機本体１に着脱自在に取付けられる駆動源である電動モータを備えたコントローラ８の回転軸に連結されている。糊桶６の側板に軸止された糊付けローラ４１の回転軸は、下部構体４に配置される下ピンチローラ４２、ドクターローラ４３、均しローラ４４及び上部構体５に配置される検尺ローラとして用いられる上ピンチローラ５１、押さえローラ５２、ドライブローラ５３のうちの所定ローラの回転軸とギアを介して連動される。
【００４９】
糊付けローラ４１の回転に伴って、ギアを介して回転運動が伝達され、他のローラも回転し、上下部構体間に挟み込まれているクロスＣを後方から前方へ搬送し、その途中で糊付けローラ４１上を搬送される際に糊桶６から引き上げられた糊がクロス裏面に転写塗布される。
【００５０】
また、糊付機本体１の後面側には、スリッター９を備える。スリッター９は、クロスＣを沿わせて搬送する搬送通路となるガイド面部９１と、このガイド面部９１への上流側とガイド面部９１の下流側にクロス全幅に亘ってガイド面部９１方向へ押圧された状態でガイド面部９１上にテンションをかけるように配置される２つのテンションバー９２，９３と、ガイド面部９１の側端部領域に各々回転刃９０とを備えている。尚、スリッター９の両側壁部の上部に設置されているのは、収納時にクロス芯棒３４を保持するホルダー９４である。
【００５１】
具体的には、ガイド面部９１の両側端部領域には、一枚刃式（一枚の円形刃物の回転で切断する形式の刃）の回転刃９０が夫々配置されており、この回転刃９０の高速回転によってクロスの側縁の両側が切断される。回転刃９０を配置する位置は、クロスＣの側縁部（所謂、耳部）をどれだけ切断するかによって適宜決定すれば良いので、左右方向の位置が可変に構成されている。よって、側端部領域はクロスＣの切断条件に応じて任意に定まるものである。そして、この可変領域を含んだ両側部がクロスＣの切断部となる。
【００５２】
スリッターの下方の第２テンションバー９２は、第１テンションバー３６と同様にクロスＣの全幅を超える長さの丸棒部材であり、第２テンションバー９２の両端部を支持する第２テンションバー回動部材９５により、開いた状態でクロスＣに装着することができ、クロスＣの両耳部を切断する際には、テンションをかけるようにスリッター下方に移動可能である。また、ガイド面部９１への上流側の第３テンションバー９３は、挟み込まれたクロスＣをガイド面部９１へ押付ける機構を備え、回転刃９０による切断の際にガイド面部９１からクロスＣが浮き上がることを防止すると共に、ガイド面部９１の下流側曲面９６と併せて糊付機本体へ引き込まれるクロスＣに良好なテンションをかけることができる。
【００５３】
更に、糊付機本体１の外部には、糊液が収容されている糊液容器としての糊バケツ７１と、糊バケツ７１内の糊を糊桶６へ連続的に供給する糊液供給ポンプ装置７とが配されている。ポンプ装置７は、糊付機本体１側の駆動と同期して駆動し、吸入口７２からタンク内の糊液を吸い込み、吐出口７３から糊付機本体１に連通する供給パイプ７４を介して、糊付けローラ４１によるクロス裏面への糊塗布に基づく糊桶６内の糊液の減少量よりも多い流量で、糊桶６内へ供給する。
【００５４】
２．電極を用いた上限スイッチ
図４は電極を用いた上限スイッチの構成を示す説明図である。糊液供給ポンプ装置７の糊液の供給量はクロス裏面への糊塗布での減少量よりも多い。そのため、糊桶６内への供給を停止する上限スイッチが必要となる。その一例としては、図４に示す通り、糊桶６に、糊桶６内の糊液面が所定の上限液面位置に端面を備えた２つの電極６２，６３が、糊付機本体の前方に配されたツメステー６４の中央部に設置されている。２つの電極は糊付機本体１のコントローラ側の側面に設置された本体側コイル６５に各々が接続されており、上限液面に達した際に通電し、コイルを含めた閉回路を形成する。
【００５５】
この本体側コイルに対向したコントローラ８には、コントローラ側コイル８１が設置されており、コントローラ側コイル８１に予め定められた振動数のパルス電流を通電しつつこれを計測する計測手段８２と、２つの電極が糊液によって閉回路を形成した際の本体側コイルの誘導電流による変化を認識した際にポンプ装置の供給電源を切断する制御手段８３とを備える。これにより、糊桶６から糊液が溢れることはない。尚、電極棒６２，６３は、直径が１ｍｍφ以下ではセンサーの高さ位置（２ｃｍ程度は入らないと通電しない）の正確さがでない場合があるため、本実施例では、直径が８ｍｍφとした。
【００５６】
３．感圧センサを用いた上限スイッチ
上限スイッチの別の例としては、感圧センサを用いたものである。図５は感圧センサを用いた上限スイッチの構成を示す説明図である。図６は糊付機本体の糊桶案内レールの説明図である。図５及び図６に示す通り、糊液が付着しやすい糊桶下面位置に直接設置するのではなく、糊桶側面のレールに配した。糊付機本体１の左右両側面の内壁面に糊桶６を挿入又は引出し時の案内レール６６が設けられている。このレールの前面部側の一部を切欠いた切欠き部６６ｂを備え。この切欠き部に感圧センサを設置する。更に、荷重がかかる位置と感圧センサとを離して設置して、糊液や洗浄水の付着を更に防止した。感圧センサは、切欠き部６６ｂに係合してレールの一部となる係合片６７ａと、感圧センサ６９を押圧する押圧片６７ｂとを備えた上下部材６７と、この上下部材６７を吊下するように配した弾性部材６８とを備える。これにより、感圧センサを糊液や洗浄水の溜りやすいレールの切欠きから離して配するようにする。感圧センサ６９は糊付機本体１のコントローラ側の側面に設置された本体側コイル６５’に接続されており、所定の荷重がかかった際に通電し、コイルを含めた閉回路を形成する。
【００５７】
この本体側コイルに対向したコントローラ８には、前述と同様に、コントローラ側コイル８１が設置されており、コントローラ側コイル８１に予め定められた振動数のパルス電流を通電しつつこれを計測する計測手段８２と、感圧センサ７０によって閉回路を形成した際の本体側コイルの誘導電流による変化を認識した際にポンプ装置の供給電源を切断する制御手段８３とを備える。これにより、糊桶６から糊液が溢れることはない。
【００５８】
糊桶６の糊量は２．５〜６ｋｇの範囲で駆動する。例えば、３ｋｇになるように電極スイッチや感圧センサの上限スイッチを設定することにより、糊桶６内部には常に一定量の糊液が保持されることになり、糊液の保持量に応じた糊のシート状壁装材への塗布量の変動が抑制され、ほぼ均一な塗布量となる。また、感圧センサの場合には、片側軸受板に別の上限スイッチを設け、何れかのスイッチが作動した場合にポンプ装置の供給電源を切断するように設定することにより、感圧センサの１つが破損した場合でも、安心して作業ができる。
【００５９】
４．接触スイッチを用いた上限スイッチ
上限スイッチの更に別の例としては、接触スイッチを用いたものである。図７は接触スイッチを用いた上限スイッチの概略を示す説明図であり、図８は接触スイッチを用いた上限スイッチを備えた壁紙糊付機の側方断面図であり、図９は図８の部分正面図であり、図１０は図８の上限スイッチの構成を示す説明図であり、ａ図は平面図、ｂ図は側面図である。
【００６０】
図に示す通り、糊付機本体１の左右両側面を繋ぐ前方下部フレーム４６内部には、支点１０１で吊下された天秤竿部材１０２が糊桶６の前方下面から突設した突設部材１０３に一端部を当接されている。天秤竿部材１０２の他端部側の重さは糊桶６内部に汲上げられた糊液の上限を越えて貯留した際に初めて天秤竿部材１０２を傾かせる重さとしている。天秤竿部材１０２の他端部の先端部分には、接触スイッチ１０５が配されている。接触スイッチ１０５は糊付機本体１のコントローラ側の側面に設置された本体側コイル８５に接続されており、天秤竿部材１０２の他端の先端部が接触している際に通電してコイル８５を含めた閉回路を形成し、天秤竿部材１０２の他端の先端部が離反した際には非通電となり閉回路が遮断する。
【００６１】
この本体側コイルに対向したコントローラ８には、前述と同様に、コントローラ側コイル８１が設置されており、コントローラ側コイル８１に予め定められた振動数のパルス電流を通電しつつこれを計測する計測手段８２と、接触スイッチ１０５への天秤竿部材１０２の先端部の離反により、通電状態が非通電状態と移行する際の本体側コイルの誘導電流による変化を認識した際にポンプ装置の供給電源を切断する制御手段８３とを備える。これにより、糊桶６から糊液が溢れることはない。糊桶６の糊量は２．５〜６ｋｇの範囲で駆動する。例えば、３ｋｇになるように電極スイッチや感圧センサの上限スイッチを設定することにより、糊桶６内部には常に一定量の糊液が保持されることになり、糊液の保持量に応じた糊のシート状壁装材への塗布量の変動が抑制され、ほぼ均一な塗布量となる。
【００６２】
図８〜図１０の詳細な図に示す通り、前方下部フレーム４６内部の上部壁面に固定された支点部材１０４の支点１０１で吊下された天秤竿部材１０２の一端部は上方に突設部１０７が設けられ、この突設部１０７は、フレーム４６に穿設された穿設孔４７を介して糊桶６の突設部材１０３に当接する。天秤竿部材１０２の他端部は、接触スイッチ１０５の上方に伸びた接触平板部１０８を備え、この平板部１０８のサイドにはロータリダンパ１０９と噛合するギア板部１４が固定されている。接触スイッチ１０５は天秤竿部材１０２の他端部の先端部分の側面を覆う固定部材１０６に固定されている。また、ロータリダンパ１０９は天秤竿部材１０２の傾き速度を遅くする遅延手段として機能する。
【００６３】
５．非接触スイッチを用いた上限スイッチ
図１１は非接触スイッチを用いた上限スイッチの概略を示す説明図であり、ａ図は本実施例の非接触スイッチを用いた上限スイッチを内部に収納した下部フレームの平面図である。ｂ図はａ図の内部構造を示した平面図である。ｃ図はｂ図の正面図である。ｄ図はｂ図の側面図である。
【００６４】
本実施例の非接触スイッチを用いた上限スイッチは、図７〜図１０の上限スイッチを図１１のものに置換えたものである。即ち、図１１に示す通り、糊付機本体１の左右両側面を繋ぐ前方下部フレーム４６内部には、支点１１１で吊下された天秤竿部材１１２が糊桶６の前方下面から突設した突設部材１０３に一端部を当接されている。天秤竿部材１１２の他端部側の重さは糊桶６内部に汲上げられた糊液の上限を越えて貯留した際に初めて天秤竿部材１１２を傾かせる重さとしている。
【００６５】
天秤竿部材１１２の他端部の先端部分の側方には、２つの永久磁石１１５ａが配されており、永久磁石１１５ａの対向位置には、略Ｌ字状のスイッチ保持部材１１４に保持された非接触スイッチとしてのリードスイッチ１１５ｂが配されている。このリードスイッチ１１５ｂは、接点として微小な隙間を開けた２枚の磁性体リード細板を備え、各々のリード細板は、糊付機本体１のコントローラ側の側面に設置された本体側コイル８５に接続されており、接点の開閉により通電状態又は非通電状態へ移行するようになっている。
【００６６】
２つの永久磁石１１５ａのうち外側の永久磁石は上下方向にＳ極Ｎ極が配され、内側の永久磁石は横方向にＳ極Ｎ極が配されている。天秤竿部材１１２の一端部は上方に突設部１１７が設けられ、この突設部１１７が糊桶６の突設部材１０３で押されて下に傾き、反対側の他端の先端部が上方に傾いた状態では、リードスイッチ１１５ｂの外側が外側の永久磁石１１５ａのＮ極に近接し、リードスイッチ１１５ｂの内側が内側の永久磁石１１５ａがＳ極に近接するため、リードスイッチが閉となる。
【００６７】
逆に、糊桶６が軽くなると天秤竿部材１１２の一端が上に傾き、反対側の先端部が下方に傾いた状態となり、リードスイッチ１１５ｂの外側が外側の永久磁石１１５ａのＳ極に近接し、リードスイッチ１１５ｂの内側が内側の永久磁石１１５ａがＳ極に近接したままであるため、リードスイッチが開となる。
【００６８】
天秤竿部材１１２の一端部には突設部１１７と糊桶６の突設部材１０３との間には、下部フレーム４６に穿設された孔１２０に嵌合された可撓性の防水キャップ１２１が配されている。防水キャップ１２１は上方からの水の侵入を良好に阻害し、糊桶６の突設部材１０３からの荷重を阻害しない材質で作製される。例えば、シリコンゴム等の素材で作製される。このため、作業終了後の洗浄時にも濡れることを気にすることがなく、簡便に糊付作業及び洗浄作業を行うことができる。
【００６９】
また、突設部１１７は、天秤竿部材１１２と放射状に配された複数の接続片１１８で接続されており、隣接する接続片１１８の間は下方に開口１１９が形成されている。また、開口１１９の下方は前方下部フレーム４６の底部材が切欠かれており、万が一、防水キャップ１２１が使用の際に破損しても、上部からの水は開口１１９を通過して下部フレーム４６の切欠きから落下する。これにより、作業終了後の洗浄時にも濡れることを気にすることがなく、簡便に糊付作業及び洗浄作業を行うことができる。
【００７０】
図７〜図９と同様に、リードスイッチ１１５ｂが閉となると通電してコイル８５を含めた閉回路を形成し、天秤竿部材１１２の他端の先端部が離反した際には非通電となり閉回路が遮断する。この本体側コイルに対向したコントローラ８には、前述と同様に、コントローラ側コイル８１が設置されており、コントローラ側コイル８１に予め定められた振動数のパルス電流を通電しつつこれを計測する計測手段８２と、リードスイッチ１１５ｂへの天秤竿部材１１２の先端部の離反により、通電状態が非通電状態と移行する際の本体側コイルの誘導電流による変化を認識した際にポンプ装置の供給電源を切断する制御手段８３とを備える。これにより、糊桶６から糊液が溢れることはない。
【００７１】
また、糊桶６の糊量は実施例４と同様に、２．５〜６ｋｇの範囲で駆動する。例えば、３ｋｇになるように電極スイッチや感圧センサの上限スイッチを設定することにより、糊桶６内部には常に一定量の糊液が保持されることになり、糊液の保持量に応じた糊のシート状壁装材への塗布量の変動が抑制され、ほぼ均一な塗布量となる。
【００７２】
６．糊液供給ポンプ装置
糊液供給ポンプ装置７は、吐出口７３から糊付機本体１に連通する供給パイプ７４を介して、糊付けローラ４１によるクロス裏面への糊塗布に基づく糊桶６内の糊液の減少量よりも多い流量で、糊桶６内へ供給する。供給パイプ７４は、糊桶６に直接接続されるのではなく、糊付機本体１の背面壁に糊桶６の上部に至る貫通孔７５を備え、糊液送給パイプとして供給パイプ７４がこの貫通孔を介して糊液を糊桶６に供給するようにした。貫通孔７５の外側には、回動自在ジョイント７６が設けられ、この回動自在ジョイント７６に供給パイプ７４が接続され、スリッター９の糊付機本体側の下部に形成された切欠き９７を介して、糊付機本体１の何れの側面からでも供給パイプ７４を出すことができる。
【００７３】
また、糊液供給ポンプ装置７は、前述の通り、コントローラ側コイル８１に予め定められた振動数のパルス電流を通電しつつ、２つの電極が糊液によって閉回路を形成した際又は感圧センサで閉回路を形成した際の本体側コイル６５，６５’の誘導電流による変化を認識して前記ポンプ装置の駆動を停止する制御手段８３をコントローラ８に備えるため、糊液供給ポンプ装置７の駆動電源は、コントローラ８を介して供給されている。
【００７４】
具体的には、コントローラ８の駆動電圧が４８Ｖであるため、糊液供給ポンプ装置７も同じ４８Ｖの駆動電圧で駆動できるようにモータ等を選択して、コントローラ８の制御手段８３によって供給電源の切断を制御する。また、スリッター９についても、回転刃９０を駆動するモータをもコントローラ８の駆動電圧と同じ駆動電圧で駆動するものを選択して、スリッター９の駆動を制御しても良い。この場合、スリッターについても１つの給電系にすることができ、給電系の取り回しが容易となり、簡便に糊付作業及び洗浄作業を行うことができる。尚、図３のコントローラ８のパネル面８８には、糊供給ポンプ装置７が駆動していることを示すライト８９を点灯させて作業者の確認手段としている。
【００７５】
尚、図２に示す通り、糊付機本体１を覆う本体カバー２０の裏面側に、作業休憩時間を含む駆動休止時に糊付ロール４１及び糊桶６内の糊液の乾燥を防止するために糊付機本体１の後面側壁面及び前面側壁面を覆うシート２１が折りたたまれて掛止されているため、休憩時間等に本体内部の糊が乾燥し難いように本体カバー糊面のシートを開き、これで糊付機本体を覆うことにより、休憩後の作業の再開の際に再調整を必要とせず、簡便に糊付作業及び洗浄作業を行うことができる。尚、シートは糊付機本体１の後面側及び前面側にたれた状態にしておいても良いが、台座２の下面にボタンや面ファスナーなどの係止具を配し、この係止具に掛止する被係止具をシートの対応部位に設置しても良い。
【図面の簡単な説明】
【００７６】
【図１】本発明の糊液供給ポンプ付き壁紙糊付機の一実施例の構成を示す説明図である。
【図２】図１の糊付機本体の構成を示す説明図である。
【図３】コントローラの構成を説明する説明図であり、ａ図は糊付機本対への取付を示す正面図であり、ｂ図はａ図のコントローラ面の正面図である。
【図４】電極を用いた上限スイッチの構成を示す説明図である。
【図５】感圧センサを用いた上限スイッチの構成を示す説明図である。
【図６】糊付機本体の糊桶案内レールの説明図である。
【図７】は接触スイッチを用いた上限スイッチの概略を示す説明図である。
【図８】接触スイッチを用いた上限スイッチを備えた壁紙糊付機の側方断面図である。
【図９】図８の部分正面図である。
【図１０】図８の上限スイッチ部分の構成を示す説明図である。
【図１１】非接触スイッチを用いた上限スイッチを備えた壁紙糊付機の説明図である。
【符号の説明】
【００７７】
Ｃ    …クロス、
Ｒ    …原反ロール、
１    …糊付機本体、
２    …台座部、
２０  …本体カバー、
２１  …シート、
３    …脚部、
３１  …前脚、
３２  …後脚、
３３  …クロス受けブラケット、
３４  …クロス芯棒、
３５  …折り畳み部、
３６  …第１テンションバー、
３７  …カットテープ取付け芯棒、
３８  …第１テンションバー回動部材、
４    …下部構体、
４１  …糊付けローラ、
４２  …下ピンチローラ、
４３  …ドクターローラ、
４４  …均しローラ、
４６  …下部フレーム、
５    …上部構体、
５１  …上ピンチローラ（検尺ローラ）、
５２  …押さえローラ、
５３  …ドライブローラ、
６    …糊桶、
６１  …糊上げローラ、
６２  …電極、
６３  …電極、
６４  …ツメステー、
６５  …本体側コイル、
６５’…本体側コイル、
６６  …案内レール、
６６ｂ…切欠き部、
６７  …上下部材、
６７ａ…係合片、
６７ｂ…押圧片、
６８  …弾性部材、
６９  …感圧センサ、
７    …糊液供給ポンプ装置、
７１  …糊バケツ（糊液容器）、
７２  …吸入口、
７３  …吐出口、
７４  …供給パイプ、
７５  …貫通孔、
７６  …回動自在ジョイント、
８    …コントローラ、
８１  …コントローラ側コイル、
８２  …計測手段、
８３  …制御手段、
８５  …本体側コイル、
８８  …パネル面、
８９  …ライト、
９    …スリッター、
９０  …回転刃、
９１  …ガイド面部（搬送通路）、
９２  …第２テンションバー、
９３  …第３テンションバー、
９４  …ホルダー、
９５  …第２テンションバー回動部材、
９６  …下流側曲面、
９７  …切欠き、
１０１…支点、
１０２…天秤竿部材、
１０３…突設部材、
１０４…支点部材、
１０５…接触スイッチ、
１０６…固定部材、
１０７…突設部、
１０８…接触平板部、
１０９…ロータリダンパ、
１１１…支点、
１１２…天秤竿部材、
１１３…突設部材、
１１５ａ…永久磁石、
１１５ｂ…リードスイッチ、
１１７…突設部、
１１８…接続片、
１１９…開口、
１２０…孔、
【図１】
2006150338.tif 000003
【図２】
2006150338.tif 000004
【図３】
2006150338.tif 000005
【図４】
2006150338.tif 000006
【図５】
2006150338.tif 000007
【図６】
2006150338.tif 000008
【図７】
2006150338.tif 000009
【図８】
2006150338.tif 000010
【図９】
2006150338.tif 000011
【図１０】
2006150338.tif 000012
【図１１】
2006150338.tif 000013